(57)【特許請求の範囲】
【請求項１】
既製服の売り場において、既製を購入した試着者が既製服を試着する工程と試着者が既製服を試着した状態をカメラで撮る工程と、
このカメラで撮られた映像を通信回線を介して、前記既製服の売り場と離れた位置にある縫製室に設置されてあるモニタへ送信する工程と、
この送信されたモニタに映された映像を縫製室に居る補整担当者が看る工程と、補整担当者は前記モニタに映された映像を看ることにより、既製服を購入した試着者の既製服の補整が可能との判断を決定する工程、
とを備えた既製服を購入した試着者のサイズに応じて既製服を補整する、既製服の補整方法。
【請求項２】
既製服の売り場において、既製服を購入した試着者が既製服を試着する工程と
試着者が既製服を試着した状態をカメラで撮る工程と、
このこのカメラで撮られた映像を通信回線を介して、前記売り場と離れた位置にある縫製室に設置されてあるモニタへ送信する工程と、
この送信されたモニタに映された映像を縫製室に居る補整担当者が看る工程と、補整担当者は前記モニタに映された映像を看ながら、前記売り場の販売員と通信器具を介して連絡をとりながら既製服の補整が可能との判断を決定する工程、
とを備えた既製服を購入した試着者のサイズに応じて既製服を補整する、既製服の補整方法。
【発明の詳細な説明】
【０００１】
【発明の属する技術分野】
本発明は、既製服の補整方法に関するもので、特に既製服売り場と離れた位置に居る縫製室の補整担当者が、モニタを看ながら補整を判断できる既製服の補整方法に関するものである。
【０００２】
【従来の技術】
現在既製服販売店において既製服を購入するものは、既製服売り場で自ら試着して試着者自身の身体の寸法に応じて測定し、この測定した結果を既製服売り場の販売員が売り場と離れた縫製室へ持ち込み、既製服の詰め（既製服の補整）を行っている。
ところで単純なズボンの裾上げ、スーツの袖詰等は売り場の販売人が補整の適否を判断できる。
【０００３】
しかしながら最近は、装飾用としてスーツ、ズボン、スカート等に複雑なデザインを付したものが多数販売されている。このような複雑なデザインで装飾されている既製服の補整の適否は、売り場の販売員ではその判断は難しかった。
例えば図６に示されるような裾にデザインが付されているスカートの補整は、売り場の販売員では、補整が可能であるか判断ができない。また図７に示されるようなファスナーが取り付けられているパンツの補整は、ファスナーをどの程度移動したらよいのか、売り場の販売員では判断が難しかった。さらに図８に示されるような袖口にデザインが付されている女性用スーツの補整では、袖口で詰めるのか、袖山で詰めるのか、売り場の販売員では判断出来かねていた。
【０００４】
このように複雑なデザインが施されている装飾的な既製服の補整は、補整に関する専門的な技術知識が不足している売り場の販売員では、補整可能であるのか、補整可能であったとしても如何なる方法で用いるのか、その判断は難しかった。
それ故売り場の販売員は、売り場で注文された既製服を、売り場とは離れた位置にある縫製室へ持ち運び、補整可能の判断を専門家の補整担当者に仰いでいた。
【０００５】
【発明解決しようとする課題】
このように売り場で注文された既製服を一件毎に売り場と離れた位置にある縫製室へ持ち運ぶことは、販売員の労力を費やすという不都合がある。
また縫製室の補整担当者の判断を求めている間にいたずらに時間が経過し、その間注文者に待機して貰う必要があり、注文者に不快感を与えるという不都合もあった。
さらに補整担当者は、直接試着者の試着した状態を看ていない。そのため売り場の販売員の指摘に基づいて補整をおこなっているが、専門的知識の不足している販売員の指摘に的確性を欠き、その結果補整が完了された製品に思わぬトラブルを起こす可能性があった。
【０００６】
本発明は上述のような事情からなされたものであって、本発明の目的は既製服売り場の販売員の労力なしに、速やかに且つ適切に補整できる既製服の補整方法を提供することである。
【０００７】
【課題を解決する手段】
本発明の上記目的は、
既製服の売り場において、既製服を購入した試着者が既製服を試着する工程と試着者が既製服を試着した状態をカメラで撮る工程と、
このこのカメラで撮られた映像を通信回線を介して、前記売り場と離れた位置にある縫製室に設置されてあるモニタへ送信する工程と、
この送信されたモニタに映された映像を縫製室に居る補整担当者が看る工程と、補整担当者は前記モニタに映された映像を看ながら、前記売り場の販売員と通信器具を介して連絡をとりながら既製服の補整が可能との判断を決定する工程、
とを備えた既製服を購入した試着者のサイズに応じて既製服を補整する、既製服の補整方法を提供することによって達成される。
また本発明の上記目的は、
既製服の売り場において、既製服を購入した試着者が既製服を試着する工程と試着者が既製服を試着した状態をカメラで撮る工程と、
このこのカメラで撮られた映像を通信回線を介して、前記売り場と離れた位置にある縫製室に設置されてあるモニタへ送信する工程と、
この送信されたモニタに映された映像を縫製室に居る補整担当者が看る工程と、補整担当者は前記モニタに映された映像を看ながら、前記売り場の販売員と通信器具を介して連絡をとりながら既製服の補整が可能との判断を決定する工程、
とを備えた既製服を購入した試着者のサイズに応じて既製服を補整する、既製服の補整方法を提供することによって達成される。
【０００８】
【発明の実施の形態】
以下本発明の実施形態を図面を参照にして説明する。図１は既製服売り場の説明図であって、図中１はカメラで、既製服売り場の随所に複数個設置されておる。このカメラは、既製服を注文した試着者３が試着した状態を撮るためのものである。２は携帯電話で試着者の試着した状態を、既製服売り場の販売員４が縫製室の補整担当者と連絡するための通信器具である。
図２は縫製室の説明図で、図中５はモニタであり、このモニタ５は縫製室の随所に複数台設けられている。このモニタ５と前記既製服売り場に設置されているカメラ１とは、図３に示されるように通信回線７によって結ばれ、前記テレビカメラ１で撮られた試着者３の試着状態はモニタ５に送信され映像化される。６は縫製室に居る補整担当者で、テレビ５に映された映像を看ながら、売り場の販売員４と図３に示されるように補整について通話連絡する。
【０００９】
つぎにこのテレビカメラ１とテレビ５を使用した既製服の補整方法を図４、図５に基づいて説明する。
図４は既製服の補整方法を説明するためのフローチャートである。図中に使用されるＳＴ１、ＳＴ２・・・は手順（ステップ）の番号を示す。図４のＳＴ１において、既製服を購入するための試着者３が、既製服売り場において既製服を自己のサイズに合わせるため既製服売り場の販売人４の立会いのもとで試着する。この試着した状態を売り場の各所に設置されているカメラ１によって撮影する（ＳＴ２）。次いでこのカメラ１で撮られた試着状態の映像は、前記売り場と離れた位置にある縫製室に設置されているモニタ５へ送信され映像化される（ステップＳＴ３）。
【００１０】
この縫製室にあるモニタ５に映された試着者３の試着状態を、補整の専門的技術を有する補整担当者６が看る（ステップＳＴ４）。このモニタ５に映された試着者３の試着状態を看ることにより補整担当者６は補整可能の判断を速やかにに決定する（ステップＳＴ５）。そしてステップＳＴ５において補整可能と判断したものは補整を実施する（ステップＳＴ６）。またステップＳＴ５において、補整不可と判断された場合は、そのことを試着者に連絡する（ステップＳＴ７）。
【００１１】
既製服の補整方法の他の実施例を図５に基づいて説明する。
図５のＳＴ１において、既製服を購入するための試着者３が、既製服売り場において既製服を自己のサイズに合わせるため売り場の販売人４の立会いのもとで試着する。この試着した状態を売り場の各所に設置されているカメラ１によって撮影する（ＳＴ２）。次いでこのカメラ１で撮られた試着状態の映像は、前記売り場と離れた位置にある縫製室に設置されているモニタ５へ送信され映像化される（ステップＳＴ３）。
【００１２】
この縫製室にあるモニタ５に映された試着者３の試着状態を、補整の専門的技術を有する補整担当者６が看る（ステップＳＴ４）。試着者３の試着状態を看た補整担当者６は、携帯電話のような通信器具を使用して既製服売り場の販売人４と補整の条件について会話連絡をする（ステップＳＴ５）。そして補整担当者６はモニタ５に映された試着者３の試着状態を看ながら売り場の販売人４の補整条件について連絡を図り補整可能の判断を速やかに決定する（ステップＳＴ６）。そしてステップＳＴ６において補整可能と判断したものは補整を実施する（ステップＳＴ７）。またステップＳＴ６において、補整不可と判断された場合は、そのことを試着者３に連絡する（ステップＳＴ８）。
【００１３】
【発明の効果】
以上説明したように本発明は、既製服売り場にはカメラを設け、売り場と離れた位置にある縫製室にはモニタを設け、このカメラとモニタとを通信回線で結んだので、既製服売り場での試着者の試着状態を縫製室に設置されてあるモニタによって看ることができ、その結果既製服の補整の可否を速やかに判断できるので、売り場の販売人が補整するために既製服を売り場と離れた位置にある縫製室へ持ち運ぶ必要がなくなり、販売人の労力が軽減される。
また縫製室においては、モニタに送信された映像を看ることにより、速やかに既製服の補整の可否が判断できるとともに、試着者の試着した状態を高度の技術を有する補整の専門家が看ることができるので、確実な既製服の補整を行うことができる。
さらにモニタに映された映像を看て既製服の補整が可能となったので、試着者の身体に触れる必要がなくなり、その結果試着者に不快感を与えることはない。
また縫製室の補整担当者は、試着者の映像を看ながら既製服売り場の販売員と通信器具を介して補整について会話連絡をとることができるので、きめの細かい既製服の補整が可能となる等の効果を有する。
【００１４】
【図面の簡単な説明】
【図１】  本発明の実施の形態に係る既製服売り場の説明図である。
【図２】  本発明の実施の形態に係る既製服を補整するための縫製室の説明図である。
【図３】  本発明の実施の形態に係る売り場のカメラと縫製室のモニタを通信回線で結んだところの説明図である。
【図４】  本発明の実施の形態に係る既製服の補整方法を説明するための説明図である。
【図５】  本発明の実施の形態に係る既製服の補整方法を説明するための説明図である。
【図６】  補整するための既製服（スカート）の説明図である。
【図７】  補整するための既製服（パンツ）の説明図である。
【図８】  補整するための既製服（女性用スーツ）の説明図である。
【符号の説明】
１      カメラ
２      通信器具（携帯電話）
３      試着者
４      販売員
５      モニタ
６      補整担当者
【図１】
0003646266.tif 000002
【図２】
0003646266.tif 000003
【図３】
0003646266.tif 000004
【図４】
0003646266.tif 000005
【図５】
0003646266.tif 000006
【図６】
0003646266.tif 000007
【図７】
0003646266.tif 000008
【図８】
0003646266.tif 000009